(57)【要約】【課題】ユーザが画像の撮り逃しを恐れることなく気軽に記録一時停止モードを指示することを可能とし、それに伴って無駄な画像の記録を回避し、後々の編集の必要性を軽減させることを可能とする。【解決手段】システム制御部５０は、記録一時停止モードの指示があった場合、第２の記録媒体２００に対する画像信号の記録を開始し、記録モードの指示があった場合、第２の記録媒体２００に対する記録を停止するよう制御する。【選択図】  図１
2005033342.tif 000002
【特許請求の範囲】
【請求項１】
撮像手段と、
第１の記録媒体に画像信号を記録する第１の記録手段と、
前記第１の記録手段とは異なる第２の記録媒体に対して画像信号を記録する第２の記録手段と、
前記撮像手段から出力される画像信号を前記第１の記録手段が前記第１の記録媒体に記録する記録モードと、前記第１の記録手段による前記第１の記録媒体に対する前記撮像手段から出力された画像信号の記録を停止する記録一時停止モードとの間でモードを設定するモード設定手段と、
前記記録一時停止モードの指示に応じて前記第２の記録媒体に対する前記撮像手段から出力された画像信号の記録を開始し、前記記録モードの指示に応じて前記第２の記録媒体に対する前記撮像手段から出力された画像信号の記録を停止するよう前記第２の記録手段を制御する制御手段とを有することを特徴とする撮像装置。
【請求項２】
撮像手段と、
第１の記録媒体に画像信号を記録する記録手段と、
前記第１の記録媒体とは異なる第２の記録媒体に対して画像信号を記録、又は、前記第２の記録媒体から画像信号を再生する記録再生手段と、
前記撮像手段から出力された画像信号を前記記録手段が前記第１の記録媒体に記録する記録モードと、前記記録手段による前記第１の記録媒体に対する前記撮像手段から出力された画像信号の記録を停止する記録一時停止モードとの間でモードを設定するモード設定手段と、
前記記録一時停止モードの指示に応じて前記第２の記録媒体に対する前記撮像手段から出力された画像信号の記録を開始し、前記記録モードの指示に応じて前記第２の記録媒体に対する前記撮像手段から出力された画像信号の記録を停止するよう前記記録再生手段を制御する制御手段とを有し、
前記制御手段は、前記第２の記録媒体に記録されている画像信号のうち指定された画像信号を前記第２の記録媒体より再生して前記第１の記録媒体に記録するよう前記記録手段と前記記録再生手段とを制御することを特徴とする撮像装置。
【請求項３】
前記制御手段は、前記第２の記録媒体の記録残量を検出し、この記録残量に従い前記第２の記録媒体への記録を開始するか否かを決定することを特徴とする請求項１又は２に記載の撮像装置。
【請求項４】
前記制御手段は、前記第２の記録媒体の記録残量を検出した結果、この記録残量が所定の容量以下であれば、画像信号の前記第２の記録媒体への記録を実行しない旨を決定することを特徴とする請求項３に記載の撮像装置。
【請求項５】
前記記録モード時及び前記記録一時停止モード時双方における操作入力のための単一の操作部材を更に有することを特徴とする請求項１又は２に記載の撮像装置。
【請求項６】
前記第１の記録手段は、前記記録一時停止モード時には、前記第１の記録媒体の動作を停止することを特徴とする請求項１又は２に記載の撮像装置。
【請求項７】
前記第１の記録媒体は、磁気テープ又は磁気ディスクであり、前記第２の記録媒体は、半導体メモリであることを特徴とする請求項１又は２に記載の撮像装置。
【請求項８】
前記第２の記録媒体から画像信号を再生する再生手段を更に有し、
前記制御手段は、前記第２の記録媒体に記録されている画像信号のうち指定された画像信号を前記第２の記録媒体より再生して前記第１の記録媒体に記録するよう前記第１の記録手段と前記再生手段とを制御することを特徴とする請求項１に記載の撮像装置。
【請求項９】
前記制御手段は、選択された画像信号を前記第１の記録媒体に記録したことに応じて、前記選択された画像信号を前記第２の記録媒体から消去することを特徴とする請求項２又は８に記載の撮像装置。
【請求項１０】
撮像手段と、第１の記録媒体に画像信号を記録する第１の記録手段と、前記第１の記録手段とは異なる第２の記録媒体に対して画像信号を記録する第２の記録手段とを有する撮像装置の制御方法であって、
前記第１の記録手段による前記第１の記録媒体に対する前記撮像手段から出力された画像信号の記録を停止する記録一時停止モードの指示があった場合、前記第２の記録媒体に対する前記撮像手段から出力された画像信号の記録を開始し、前記撮像手段から出力される画像信号を前記第１の記録手段が前記第１の記録媒体に記録する記録モードの指示があった場合、前記第２の記録媒体に対する前記撮像手段から出力された画像信号の記録を停止するよう前記第２の記録手段を制御することを特徴とする撮像装置の制御方法。
【請求項１１】
撮像手段と、第１の記録媒体に画像信号を記録する記録手段と、前記第１の記録媒体とは異なる第２の記録媒体に対して画像信号を記録、又は、前記第２の記録媒体から画像信号を再生する記録再生手段とを有する撮像装置の制御方法であって、
前記記録手段による前記第１の記録媒体に対する前記撮像手段から出力された画像信号の記録を停止する記録一時停止モードの指示があった場合、前記第２の記録媒体に対する前記撮像手段から出力された画像信号の記録を開始し、前記撮像手段から出力された画像信号を前記記録手段が前記第１の記録媒体に記録する記録モードの指示があった場合、前記第２の記録媒体に対する前記撮像手段から出力された画像信号の記録を停止するよう前記記録再生手段を制御し、また、前記第２の記録媒体に記録される画像信号の一部又は全部を再生して前記第１の記録媒体に記録する再生モードの指定があった場合、前記第２の記録媒体に記録されている画像信号のうち指定された画像信号を前記第２の記録媒体より再生して前記第１の記録媒体に記録するよう前記記録手段と前記記録再生手段とを制御することを特徴とする撮像装置の制御方法。
【請求項１２】
請求項１０又は１１に記載の撮像装置の制御方法をコンピュータに実行させるためのプログラム。
【請求項１３】
請求項１２に記載のプログラムを記録したコンピュータ読み取り可能な記録媒体。
【発明の詳細な説明】
【０００１】
【発明の属する技術分野】
本発明は、記録媒体に対してビデオ信号等の画像信号を記録可能とする撮像装置、その制御方法、プログラム及び記録媒体に関するものである。
【０００２】
【従来の技術】
従来のビデオ信号記録装置として、記録媒体に回転記録媒体を用いたディスクカムコーダが知られている。この種の装置においては、ディスクの回転やヘッドの位置決めの安定を待つなど、ユーザが記録開始の指示を行ってから実際に記録が開始されるまである程度時間がかかることがある。
【０００３】
【発明が解決しようとする課題】
従って、ユーザが記録したい場面で記録開始の指示を行ってもその場面が記録されていないことが多く、使い勝手が悪いものであった。そのため従来のシステムなどでは、通常は本来撮影したいシーンに対して余裕をもって早めにポーズを解除したり、撮影したいシーンが終わっても直ぐにはポーズ状態にせず少し長めに撮影しておくなど、本来のシーンの前後に無駄な記録をしてしまう傾向があった。
【０００４】
本発明は、上記問題点に鑑みてなされたものであり、ユーザが画像の撮り逃しを恐れることなく気軽に記録一時停止モードを指示することを可能とし、それに伴って無駄な画像の記録を回避し、後々の編集の必要性を軽減させることを可能とすることにある。
【０００５】
【課題を解決するための手段】
斯かる目的を達成するために、本発明の撮像装置は、撮像手段と、第１の記録媒体に画像信号を記録する第１の記録手段と、前記第１の記録手段とは異なる第２の記録媒体に対して画像信号を記録する第２の記録手段と、前記撮像手段から出力される画像信号を前記第１の記録手段が前記第１の記録媒体に記録する記録モードと、前記第１の記録手段による前記第１の記録媒体に対する前記撮像手段から出力された画像信号の記録を停止する記録一時停止モードとの間でモードを設定するモード設定手段と、前記記録一時停止モードの指示に応じて前記第２の記録媒体に対する前記撮像手段から出力された画像信号の記録を開始し、前記記録モードの指示に応じて前記第２の記録媒体に対する前記撮像手段から出力された画像信号の記録を停止するよう前記第２の記録手段を制御する制御手段とを有することを特徴とする。
【０００６】
また、本発明の撮像装置は、撮像手段と、第１の記録媒体に画像信号を記録する記録手段と、前記第１の記録媒体とは異なる第２の記録媒体に対して画像信号を記録、又は、前記第２の記録媒体から画像信号を再生する記録再生手段と、前記撮像手段から出力された画像信号を前記記録手段が前記第１の記録媒体に記録する記録モードと、前記記録手段による前記第１の記録媒体に対する前記撮像手段から出力された画像信号の記録を停止する記録一時停止モードとの間でモードを設定するモード設定手段と、前記記録一時停止モードの指示に応じて前記第２の記録媒体に対する前記撮像手段から出力された画像信号の記録を開始し、前記記録モードの指示に応じて前記第２の記録媒体に対する前記撮像手段から出力された画像信号の記録を停止するよう前記記録再生手段を制御する制御手段とを有し、前記制御手段は、前記第２の記録媒体に記録されている画像信号のうち指定された画像信号を前記第２の記録媒体より再生して前記第１の記録媒体に記録するよう前記記録手段と前記記録再生手段とを制御することを特徴とする。
【０００７】
また、本発明の撮像装置の制御方法は、撮像手段と、第１の記録媒体に画像信号を記録する第１の記録手段と、前記第１の記録手段とは異なる第２の記録媒体に対して画像信号を記録する第２の記録手段とを有する撮像装置の制御方法であって、前記第１の記録手段による前記第１の記録媒体に対する前記撮像手段から出力された画像信号の記録を停止する記録一時停止モードの指示があった場合、前記第２の記録媒体に対する前記撮像手段から出力された画像信号の記録を開始し、前記撮像手段から出力される画像信号を前記第１の記録手段が前記第１の記録媒体に記録する記録モードの指示があった場合、前記第２の記録媒体に対する前記撮像手段から出力された画像信号の記録を停止するよう前記第２の記録手段を制御することを特徴とする。
【０００８】
また、本発明の撮像装置の制御方法は、撮像手段と、第１の記録媒体に画像信号を記録する記録手段と、前記第１の記録媒体とは異なる第２の記録媒体に対して画像信号を記録、又は、前記第２の記録媒体から画像信号を再生する記録再生手段とを有する撮像装置の制御方法であって、前記記録手段による前記第１の記録媒体に対する前記撮像手段から出力された画像信号の記録を停止する記録一時停止モードの指示があった場合、前記第２の記録媒体に対する前記撮像手段から出力された画像信号の記録を開始し、前記撮像手段から出力された画像信号を前記記録手段が前記第１の記録媒体に記録する記録モードの指示があった場合、前記第２の記録媒体に対する前記撮像手段から出力された画像信号の記録を停止するよう前記記録再生手段を制御し、また、前記第２の記録媒体に記録される画像信号の一部又は全部を再生して前記第１の記録媒体に記録する再生モードの指定があった場合、前記第２の記録媒体に記録されている画像信号のうち指定された画像信号を前記第２の記録媒体より再生して前記第１の記録媒体に記録するよう前記記録手段と前記記録再生手段とを制御することを特徴とする。
【０００９】
また、本発明のプログラムは、前記撮像装置の制御方法をコンピュータに実行させることを特徴とする。さらに、本発明のコンピュータ読み取り可能な記録媒体は、前記プログラムを記録したことを特徴とする。
【００１０】
【発明の実施の形態】
以下、本発明を適用した好適な実施形態を、添付図面を参照しながら詳細に説明する。
図１は、本発明の一実施形態に係る撮像装置の構成例を示した図である。１０は撮影レンズ、１２は絞りやシャッタなどの露光量制御部材、１４は光学像を電気信号に変換するＣＣＤなどの撮像素子、１６は撮像素子１４のアナログ信号出力をディジタル信号に変換するＡ／Ｄ変換器、１８はタイミング発生回路であり、撮像素子１４、Ａ／Ｄ変換器１６、  Ｄ／Ａ変換器２６にクロック信号や制御信号を供給する。
【００１１】
２０は画像処理回路であり、Ａ／Ｄ変換器１６からのデータに対して所定の画素補間処理や色変換処理を行う。また、画像データに基づき露光量制御や測距制御のための演算処理処理などを行っている。
【００１２】
２２はデータフロー制御回路であり、Ａ／Ｄ変換器１６、タイミング発生回路１８、画像処理回路２０、画像表示メモリ２４、Ｄ／Ａ変換器２６、メモリ３０、圧縮・伸長回路３２などの間でデータの入出力を制御する。
【００１３】
撮影記録時にはＡ／Ｄ変換器１６のデータが画像処理回路２０を介して、画像表示メモリ２４或いはメモリ３０に書き込まれる。２４は画像表示メモリ、２６はＤ／Ａ変換器、２８はＴＦＴ  ＬＣＤなどの表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。
【００１４】
４０は絞りやシャッタなど露光量制御部材１２を制御する露光制御手段である。４２は撮影レンズ１０のフォーカシングを制御する測距制御手段、４４は撮影レンズ１０のズーミングを制御するズーム制御手段、露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００１５】
３０は撮影した静止画像や動画像を格納するためのメモリであり、所定枚数の静止画像や所定時間の動画像を処理するために一時的に格納するのに十分な記憶量を備えている。また、メモリ３０はシステム制御回路５０の作業領域としても使用することが可能である。
【００１６】
３２は画像データを圧縮伸長する圧縮・伸長回路であり、メモリ３０に格納された画像を読み込んで圧縮処理或いは伸長処理を行い、処理を終えたデータをメモリ３０に書き込む。
【００１７】
３３はテープやディスクなどの第１の記録媒体で、不図示のテープの走行やテープドラムの回転を制御する制御駆動手段、またはディスク回転やヘッドに位置制御などの制御駆動手段によって適切に制御され、画像データの記録、再生が行われる。
【００１８】
３１は記録媒体３３へ記録するための処理回路で、例えば記録媒体がビデオテープ（磁気テープ）または磁気ディスクのフォーマット形式に合うように信号を変換したり情報を付加したりする。
【００１９】
２００は、半導体メモリであるメモリカード等の第２の記録媒体である。第２の記録媒体２００は、半導体メモリ等から構成される。９０は、カードインタフェース回路部で、メモリカードなどの記録媒体や各種インタフェースカードとのコマンドのやりとりをするためのレジスタやインタフェースタイミングを生成するものである。
【００２０】
９８は、第１の記録媒体３３や第２の記録媒体２００が装着されているか否かを検知する記録媒体着脱検知手段である。９９は、装着された第１または第２の記録媒体の誤消去防止爪の状態を検知する誤消去防止爪検知手段である。
【００２１】
５０は画像処理装置全体を制御するシステム制御回路、５２はシステム制御回路５０の動作用の定数、変数、プログラム等を記憶するＦＬＡＳＨ  ＲＯＭなどのメモリである。
【００２２】
５６は各種調整値などを記憶しておくための電気的に消去・記録可能な不揮発性メモリであり、例えばＥＥＰＲＯＭ等が用いられる。
【００２３】
６０、６２、６４、及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００２４】
６０はモードスイッチで、電源オフ、撮影記録モード、再生モードモード等の各機能モードを切り替え設定することが出来る。
【００２５】
６２は静止画撮影トリガスイッチ、６４は動画撮影トリガスイッチ、７０は各種ボタンからなる操作部で、セットボタン、上下左右のカーソル移動キーボタン等がある。
【００２６】
１１０はＵＳＢ通信制御部で、スレーブとしてのＩＦ部である。１１１はＵＳＢ通信制御部で、ホストとしてのＩＦ部である。
【００２７】
１１２はＵＳＢスレーブ端子であり、通信手段１１０により画像処理装置１００を他のＵＳＢホスト機器と不図示のケーブルで接続するコネクタある。１１３はＵＳＢホスト端子であり、通信手段１１０により画像処理装置１００を他のＵＳＢスレーブ機器と不図示のケーブルで接続するコネクタある。
【００２８】
８０は電源制御手段で、ＤＣ−ＤＣコンバータ、通電するブロックを切り替えるスイッチ回路等により構成されており電池検知手段８７を介して電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。８２、８４はコネクタである。
【００２９】
８６は以下に述べるような種々の種類の電源手段である。アルカリマンガン電池など充電できない一時電池や、リチウムイオン電池など充電可能な二次電池、さらにはＡＣ電源をＤＣ電源に変換して本体に直流電源として供給するＡＣ−ＤＣアダプタ等からなる。
【００３０】
８７は電池検知手段であり、種類判別を判断する。判別方法としては、例えば電池の形状を機械的に判別しても良い。さらには所定量の電流を流した時と流さないときの電圧差から電池の内部抵抗を測定し、それをもって電池の種類や消耗度を判断することができる。さらには電池自体に通信手段を有し、電池の種類や消耗度などを通信手段によって通知するものでも良い。
【００３１】
図２は、本実施形態に係る撮像装置の外観を概略的に示した図であり、現行のＤＶＤなどのディスクを用いたビデオカムコーダのようなものを想定している。詳細な部分は省略してあるが図１に対応して２８がＬＣＤなどの画像表示部である。またモードスイッチ６０、トリガスイッチ６２、操作部７０などを示している。
【００３２】
図３はモードスイッチ６０の一例を示しており、ＲＥＣ，ＯＦＦ、ＰＬＡＹの３つのボジションを持つスライドスイッチである。図４に示すトリガスイッチ６４は、記録モード時は、押し下げ操作の度に、動画の記録状態と一時停止状態に切り替わるトグルスイッチである。このスイッチは後述のリストア動作モードにおいては、押し下げ操作の度に、必要画像指示状態と（ディスクへの転送）と不要指示状態とに切り替わる。これらはスイッチの押し下げ操作と状態の遷移はシステム制御部５０が認識し判断する。
【００３３】
図５（Ａ）及び図５（Ｂ）は、それぞれ動画の記録状態（Ａ）と一時停止状態（Ｂ）の時の表示部２８における表示例を示している。図６は操作部７０の例で、上下左右のカーソルキーと真中の決定キーから成る。
【００３４】
次に、本実施形態に係る撮像装置の動作について説明する。ここでは、第１の記録媒体は回転記録媒体であるディスク、第２の記録媒体は半導体メモリカードの場合で説明する。
【００３５】
図７は、本実施形態に係る撮像装置の動作を示したフローチャートである。
Ｓ１でモードスイッチ６０の状態を調べる。記録モードであればＳ２へ、再生モードであれば図１０のＢ（Ｓ２０）へ移行し、ＯＦＦモードであればＳ９で終了する。
【００３６】
＜記録モード＞
Ｓ２では記録モードとしての通常のカメラとしての基本機能を動作させる。具体的には、電源８６の状態が正常であり、記録媒体（ディスク）３３の有無、記録媒体の空き容量が十分かなど撮影する条件が揃っていることを確認する。その上で、操作者の各部の操作７０などに応じてレンズ１０のフォーカスやズーム適切に駆動し、露光制御、焦点調節を行い撮像素子に映像を露光する。
【００３７】
撮像素子１４からのアナログ信号をＡＤ変換し（ＡＤ変換器１６）さらに画像処理部２０で映像信号に変換を行う。変換された映像信号は、表示用として画像表示部２８に出力する。さらに映像信号はデータ量削減のために画像圧縮部３２で圧縮処理がされる。そして圧縮された画像データは記録媒体（ディスク）３３に記録するために適当な形式に変換する。
【００３８】
Ｓ３ではトリガスイッチ６４の状態を基に、システム制御部５０がｓｈｏｔ状態かＰａｕｓｅ状態かを判断する。図８は、撮影中のトリガスイッチ６４の操作による記録動作とＰａｕｓｅ動作に伴う状態をタイミング表示したものである。
【００３９】
図８（Ａ）は、本体の動作モードが記録モード（ＲＥＣ）にあるか再生モード（ＰＬＡＹ）にあるかを示す。ここでは、記録モードを主体に説明する。再生モードは別途説明する。図８（Ｂ）は、トリガスイッチ６４の操作により記録状態（Ｓｈｏｔ）か一時停止状態（Ｐａｕｓｅ）かを示す。ここでは、トリガスイッチ６４を押す度に記録状態（Ｓｈｏｔ）と一時停止状態（Ｐａｕｓｅ）を交互に遷移するものとする。説明のために、Ｐａｕｓｅ状態はＰ、ｓｈｏｔ状態はＳの文字で表しその添え字として１＿１，１＿２などの番号を付与した。図８（Ａ）でＲＥＣ状態が二度あるので何度目のＲＥＣ状態であるかは添え字の左側の番号に対応づけした。
【００４０】
添え時の右側の番号は、一度目のＲＥＣ状態、二度目のＲＥＣ状態それぞれの内で何回目のＰｕａｓｅ時状態またはｓｈｏｔ状態かに対応させている。例えば、Ｐ１＿２は一度目のＲＥＣ状態で２回目のＰｕａｓｅであることを示す。図８（Ｃ）は、上記Ｓｈｏｔ／Ｐａｕｓｅの状態に連動したカードへの記録状態を示し、記録モードではＰａｕｓｅ状態時にカードへ動画像を書き込むことを示す。この時に作成されるファイルをＰＴ（Ｐａｕｓｅ＿ｔｍｐ）ファイルとしている。文字ＰＴの後の添え字は先の図８（Ｂ）での添え時の意味と同じように対応させている。つまり、ＰＴ１＿２は一度目のＲＥＣ状態で２回目のＰｕａｓｅの際に生成されるファイルであることを示す。図８（Ｄ）は、上記Ｓｈｏｔ／Ｐａｕｓｅの状態に連動したディスクへの記録状態を示し、Ｓｈｏｔ時にディスクへ動画像を書き込むことを示す。
【００４１】
図９にてＰａｕｓｅファイルの生成について詳細に述べる。
１カットのシーン（記録モード開始から記録モード終了まで）を記録中Ｐａｕｓｅの回数が多い場合やＰａｕｓｅ時間が長い場合、さらにはカードへの記録容量が少ない場合などは、カードの記録容量が不足し、全てのＰａｕｓｅ時の画像を記録することがすることはできない。そこで古いものから順に削除上書きをすることになる。
【００４２】
図９（Ａ）は、Ｎ−１回目のＰａｕｓｅファイルを記録していてカードの記録エリアが一杯になった状態である。引き続きＮ−１回目のＰａｕｓｅファイルを書き込む場合は、図９（Ｂ）のようにＰＴ１＿１とＰＴ１＿２の部分に上書きする。さらに追加していく場合は、Ｎ回目のＰａｕｓｅファイルを追加する場合は、図９（Ｂ）のハッチング部分からＰＴ１＿３とＰＴ１＿４の部分に図９（Ｃ）のように上書きしていく。
【００４３】
図７に戻って、Ｓ３での判断がＳｈｏｔであれば、Ｓ７で記録媒体ディスク３３を回転させ、Ｓ８で画像データを記録媒体ディスクに記録を行いＡに戻る。Ｓ３での判断がＰａｕｓｅであれば、Ｓ４でカード２００に所定量のデータを記録可能な分の記録容量があるかを調べ、所定量以上の空き容量が無ければカードが第１の状態であるとしてＡに戻る。つまりＰａｕｓｅ状態ではあるがカードへの記録は行わない。Ｓ４で所定量以上の空き容量があればカードが第２の状態であるとして、Ｓ５で記録媒体ディスク３３の回転を停止させ、Ｓ６で画像データをカード記録媒体２に記録を行いＡに戻る。
【００４４】
次に、Ｓ１での判断で再生モードであった場合について図１０にて説明する。
Ｓ２０でカード２００を読み込み、新規に作成されたｐａｕｓｅファイルがないか調べる。新規ｐａｕｓｅファイルがなければ、Ｓ２１で通常の再生のための基本機能を動作させる。具体的には、電源８６の状態が正常であり、記録媒体（ディスク）３３の有無など再生する条件が揃っていることを確認する。その上で、操作者の各部の操作７０などに応じて記録媒体（ディスク）３３を回転させ、所望の画像を記録媒体３３から読み出す。読み出したデータはデータ圧縮されているので、これを圧縮伸張回路３２などを経て伸張し、画像表示部２８に表示出力する。
【００４５】
Ｓ２０にて新規のＰａｕｓｅファイルがあれば、Ｓ２２でリストア動作、つまりポーズ時に作成されたファイルをディスクに転送及び書き込みをするかどうかの判断を操作者に促す。これは表示部２８にその旨のメッセージを表示し、操作部７０などよる操作で操作者の意図を判断する。リストア動作が必要でなければ、Ｓ２１で基本再生動作を行いＢに戻る。
【００４６】
Ｓ２２でリストア動作が必要であれば、Ｓ２３で、画像表示部２８に新規のＰａｕｓｅファイルの代表画面を一覧で表示する。この画面の例が図１１である。ここで操作者は、回復させたいＰａｕｓｅファイル画像を選択する。
【００４７】
図１１は、カードに保存された一時停止時の動画ファイルを縮小して、複数表示して、必要な記録シーンを選択する画面例である。太枠で囲まれた画像が選択状態を示す選択枠としている。これを操作部７０（図１及び図６）による操作などで左右上下に選択枠を移動し、所望の画像を選んで、決定（決定キー押し下げ）する。
【００４８】
代表画面は各Ｐａｕｓｅファイルの先頭部分の画像でもよいし、ファイルに付随するサムネイル画像と称す比較的小さな画像でもよい。これらはカード２００からデータとして読みだし、必要に応じ、圧縮伸張回路３２で伸張し画像表示部２８に表示する。Ｓ２４では、選択されたファイルを図１２のように表示を切り替え、そのファイルの代表画像を表示する。
【００４９】
図１２は上記で選択した画像を動画として再生し、その再生シーンのなかで、ディスクに転送したい部分を選択する画面表示例である。
３００の部分は動画表示部、３０１は時間軸表示部で、３００で再生表示している画像が、１つの動画カットシーンの時間的にどのあたりにあるかをカーソル３０２で示している。３０３、３０４の部分では、１カットシーンの動画中の選択部分を示している。太線部３０３、３０４が選択した部分で、その部分がディスクに転送、記録される。３０５は、再生中や一時停止中、早送りなどの操作状態を示している。操作に対応した部分がブリンキングするなどして表示されるような一般的なものである。
【００５０】
再生表示中、トリガスイッチ６４を操作してディスクへの記録する部分と記録しない部分を指定する。つまりリストアモードでは、トグルスイッチであるトリガスイッチ６４の操作で、必要画像指示と（ディスクへの転送）と不要指示（後々に削除）を行う。
【００５１】
Ｓ２５では、記録媒体ディスク３３を回転させておく。Ｓ２６では、再生がファイルの最後まで再生したかどうかを判断する。Ｓ２６で対象ファイルの最後まで再生してない場合は、Ｓ２７で動画再生する。この場合はカード２００から連続的にデータを読み出し伸張する。Ｓ２８では、前述のトグルスイッチであるトリガスイッチ６４の操作で、必要画像指示と（ディスクへの転送）と不要指示（後々に削除）の操作状態で判断する。
【００５２】
図１３は、リストア動作中の、トリガスイッチ６４の操作に伴うカードからディスクへの転送に関して状態をタイミング表示したものである。
図１３（Ａ）は、本体の動作モードが記録モード（ＲＥＣ）にあるか再生モード（ＰＬＡＹ）にあるかを示す。リストアは、再生モードで行うのでここでは再生モードを主体に説明する。図１３（Ｂ）は、トリガスイッチ６４の操作による必要画像指示状態と（ディスクへの転送）と不要指示状態かを示す。ＳＥＬ１＿１、ＳＥＬ１＿２が必要画像指示に相当する。図１３（Ｃ）は、再生モードでは、転送／非転送に関わらずカードから動画像（ここではＰＴ１＿２ファイル）を読み出していることを示す。図１３（Ｄ）は、上記図１３（Ｃ）の状態に連動したカードからディスクへの転送記録動作を示す。つまり、ここではＰＴ１＿２ファイル中、部分的に２つのシーンＳＥＬ１＿１、ＳＥＬ１＿２を必要画像として指示し、それぞれＰ１＿２＿１，Ｐ１＿２＿２として転送記録したことになる。転送されたＰ１＿２＿１，Ｐ１＿２＿２は、メモリカードから消去される。
【００５３】
トリガスイッチ６４の操作による必要画像指示状態と（ディスクへの転送）と不要指示状態かの判断で、初期状態では不要指示状態とする。すると、まず図１０で最初にＳ２８を通過する場合は、不要指示状態なのでＳ２９で記録媒体ディスク３３への記録を停止させＤに戻る。再びＳ２８の判断まで進んだとき、その時点までにトリガスイッチが操作され記録媒体ディスク３３への記録の必要画像指示状態が選択された場合は、Ｓ３０で再生している画像をディスクに転送し記録する。そしてＤに戻る。
【００５４】
Ｓ２６からＳ２９，３０までの処理を繰り返すうちにファイルの最後まで到達した場合はＳ２６から終了へ移行する。これで１つのＰａｕｓｅファイルのリストア動作が終了する。さらに別の新規Ｐａｕｓｅファイルがカード２００に存在する場合はＳ２０からＳ２２へ移行し、同様のシーケンスでリストア動作を処理する。
【００５５】
このようにしてリストア処理後にディスクを通常再生した場合、リストアした画像と予め撮影時に記録した画像とは撮影時の時間順で順次再生される。再生するファイルの順番は通常プレイリストと称す再生制御ファイルに記述されている。例えば、図８のタイミングで撮影したＰ１＿２の動画像を、図１３に示すようにリストアした場合はＰ１＿２＿１，Ｐ１＿２＿２というファイルがディスクに転送され記録される。
【００５６】
ここでの添え字はさらに上記リストア動作での必要画像指示と（ディスクへの転送）と不要指示の操作によってＰＴ１＿２のファイルが２つの必要画像ＰＴ１＿２＿１とＰＴ１＿２＿２が第１の記録媒体へ転送されたことを示す。従って、このディスクを再生する場合は、Ｓ１＿１再生、Ｐ１＿２＿１，Ｐ１＿２＿２再生、Ｓ１＿２再生・・・という順番になる。この例では、ファイル名の添え字がその再生順番が対応しているが、実際はファイル名で順番を管理するのではなく、ファイル名と再生順番を対応つけした管理ファイルを作成しこれに基づいて再生するものである。以上が本実施形態の主要な動作シーケンスである。
【００５７】
＜他の実施形態＞
リストア動作で１つのＰａｕｓｅファイルを再生している場合、そのファイルの最後まで再生しているが、再生途中でキャンセル操作ができるようにしてもよい。一回のポーズ時間が長い場合は、最後まで再生するのが煩わしいので、必要な部分まで再生したらキヤンセルできるようにすることで利便性が向上する。
【００５８】
同様に再生中に早送り、巻き戻し、一時停止などができるようにすればさらに利便性が向上する。但し一方で操作が煩雑になる場合もあるので目的や状況に応じて必要な機能を設ければよい。
【００５９】
図１２のように表示部に再生、早送り、巻き戻し、一時停止に相当するボタンのようなものを表示し、それを本体の操作部（図６）のカーソルキーなどで操作するなどして実現できるものである。
【００６０】
また上記実施形態ではポーズ用容量としてカードの空き容量が所定量あるか否かで、第２の記録媒体の状態が第１の状態か、第２の状態を判断し、ポーズ時の記録動作を決定している。
【００６１】
しかし、カードを静止画記録用として使っている場合は、いつも所定量の空きがあるとは限らない。全くの未記録のカードを装着したときと、ある程度たくさんの静止画ファイルを記録した後などその時々で、ポーズ時の記録画像をカードに確保できたりできなかったりと動作が頻繁に異なるようでは、今どういう状態なのかがわかりに難く使い勝手が悪い。そこでポーズ用容量としてカードの空き容量を予め指定して確保するようにしてもよい。この場合は、ポーズ用の容量が確保された分だけ、静止画の記録枚数が減る。
【００６２】
しかし、操作者は静止画の撮影枚数を優先するか、動画記録時のポーズ時の映像の復活を優先するか目的に応じて選択が可能である。この場合ポーズ用容量の指定は、“何メガバイト“というように容量で指定してもよいが、”何秒分“というように動画としての記録秒数で指定しても良い。
【００６３】
以上のように、本発明の上記実施形態によれば、メモリカードを装着することによって本来の動画撮影の使い勝手を向上させることができる。従来のシステムなどでは、通常は本来撮影したいシーン余裕をもって早めにポーズを解除したり、撮影したいシーンが終わっても直ぐにはポーズ状態にせず少し長めに撮影しておくなど、本来のシーンの前後に無駄な記録をしてしまう傾向があった。
【００６４】
上記実施形態では、記録ポーズ時の動画がメモリカードに記録されるので、撮り逃すことを恐れることなく気軽にポーズ状態にすることができる。結果的にテープやディスクなど第１の記録媒体へも無駄な記録をすることがなく、後々の編集の必要が減るなどの効果もある。また、上記実施形態によれば、メモリカードの記録残量が第１の状態の時は、通常の撮像記録再生装置として使え、第２の状態の時は、上記のように利便性を向上させることができる。
【００６５】
以上により、本実施形態によれば、通常は本来撮影したいシーン余裕をもって早めにポーズを解除したり、撮影したいシーンが終わっても直ぐにはポーズ状態にせず少し長めに撮影しておくなど、本来のシーンの前後に無駄な記録をしてしまうような従来のシステムにおける問題点を解消することができる。
【００６６】
さらに、上記実施形態によれば、本体に予め大量のメモリ実装しておく必要がないので、本体のコストの増大などを招くことがない。メモリカードは、最近のビデオカメラなどでは静止画データを記録するためのものとして予めシステムに装着可能なシステムになっているので、このメモリカードを記録ポーズ時の動画を記録するための第２の記録媒体として利用することにより、記録媒体増設によるコスト増を回避することができる。上記実施形態では、このメモリカードを静止画データの記録のためだけでなく、記録ポーズ時の動画記録のための第２の記録媒体として使用し、システムの操作性、利便性向上を図ることを可能とした。
【００６７】
また、上記実施形態によれば、記録ポーズ時の動画データを復活させるかどうかの判断は、ポーズ時の動画データが新たに作成せていた場合に問合せることになるので、再生モードに切り換えるたびに確認操作をするような煩わしさを避け且つ、復活動作を確実に実行できる効果がある。
【００６８】
また、上記実施形態によれば、記録ポーズ時の動画データの選択の際には、記録モード時の操作と同一の操作部を用いて行われるので、復活動作時と記録モード時での動作の操作の統一感があり、操作を覚えやすく誤操作を防止する効果がある。さらに、同一の操作部であることから、本体の操作部材を必要以上に増やすことなく、機器の小型化、低コスト化を実現しやすいという効果もある。
【００６９】
さらに、上記実施形態によれば、記録ポーズ時においてメモリカードに動画を記録している際には、ディスク３３の回転を停止しているので、無駄な電力を消費しないという効果がある。また、ディスク３３のような回転記録媒体の場合は、記録ヘッドなどが存在するが、媒体の回転中などに振動や衝撃が加わったときには媒体やヘッドを傷めてしまう可能性がある。
しかし回転を止めることで、記録ヘッドも退避できるので上記問題も回避できる。
【００７０】
特にポーズ中は、ポーズ状態にない記録中など操作者が撮影に集中している場合に比べ、ヘッドや媒体を痛めやすい。ポーズ中は本体を持ったまま移動していてぶつけたり、どこか置こうとして振動や衝撃が加わることも十分考えられる。したがって、ポーズ状態で媒体の回転を止め、ヘッドを退避することで媒体やヘッドの保護効果が高めることも可能となる。
【００７１】
上述した実施形態の機能を実現するべく各種のデバイスを動作させるように、該各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００７２】
また、この場合、上記ソフトウェアのプログラムコード自体が上述した実施形態の機能を実現することになり、そのプログラムコード自体、およびそのプログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００７３】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００７４】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００７５】
【発明の効果】
本発明によれば、記録一時停止モードが指示されると、通常の記録モード時における第１の記録媒体への画像信号の記録動作を停止し、第１の記録媒体とは異なる第２の記録媒体に対する画像信号の記録動作を開始することによって画像の撮り逃しを回避可能とした。
従って、ユーザは、画像の撮り逃しを恐れることなく気軽に記録一時停止モードを指示することが可能となり、それに伴って、第１の記録媒体へも無駄な記録をすることなく、後々の編集の必要性を軽減することができる。
【図面の簡単な説明】
【図１】本発明の一実施形態に係る撮像装置の構成例を示した図である。
【図２】本発明の一実施形態に係る撮像装置の外観を概略的に示した図である。
【図３】モードスイッチの一例を示した図である。
【図４】トリガスイッチの一例を示した図である。
【図５】記録状態（Ａ）と一時停止状態（Ｂ）の表示部における表示例を示した図である。
【図６】操作部の一構成例を示した図である。
【図７】本発明の一実施形態に係る撮像装置の動作を示したフローチャートである。
【図８】撮影中のトリガスイッチの操作による記録動作とＰａｕｓｅ動作に伴う状態をタイミング表示した図である。
【図９】Ｐａｕｓｅファイルの生成処理を説明するための図である。
【図１０】再生モード時の動作の流れを示したフローチャートである。
【図１１】Ｐａｕｓｅファイルの代表画面の一覧表示画面を示した図である。
【図１２】Ｐａｕｓｅファイルの代表画面の画面表示例を示した図である。
【図１３】リストア動作中の、トリガスイッチの操作に伴うカードからディスクへの転送に関して状態をタイミング表示した図である。
【符号の説明】
１０  撮影レンズ
１２  露光量制御部材
１４  撮像素子
１６  Ａ／Ｄ変換器
１８  タイミング発生回路
２０  画像処理回路
２２  データフロー制御回路
２４  画像表示メモリ
２６  Ｄ／Ａ変換器
２８  表示部
３０  メモリ
３１  記録媒体３３へ記録するための処理回路
３２  画像データ圧縮・伸長回路
３３  第１の記録媒体
４０  露光制御手段
４２  測距制御手段
４４  ズーム制御手段
５０  システム制御回路
５２  プログラムメモリ
５６  不揮発性メモリ
６０  モードスイッチ
６２  静止画撮影トリガスイッチ
６４  動画撮影トリガスイッチ
７０  各種ボタンからなる操作部
８０  電源制御手段
８２  コネクタ
８４  コネクタ
８６  電源手段
８７  電池検知手段
９０  カードインタフェース回路部
９８  記録媒体着脱検知手段
９９  誤消去防止爪検知手段
１１０  ＵＳＢ通信制御部スレーブ
１１１  ＵＳＢ通信制御部ホスト
１１２  ＵＳＢスレーブ端子
１１３  ＵＳＢホスト端子
２００  メモリカード等の記録媒体
【図１】
2005033342.tif 000003
【図２】
2005033342.tif 000004
【図３】
2005033342.tif 000005
【図４】
2005033342.tif 000006
【図５】
2005033342.tif 000007
【図６】
2005033342.tif 000008
【図７】
2005033342.tif 000009
【図８】
2005033342.tif 000010
【図９】
2005033342.tif 000011
【図１０】
2005033342.tif 000012
【図１１】
2005033342.tif 000013
【図１２】
2005033342.tif 000014
【図１３】
2005033342.tif 000015